(57)【要約】【課題】  システム全体を監視している上位のモニタリング表示装置での事故の解析を容易化すると共に、メンテナンス性を向上させることのできるシステム監視制御装置を提供する。【解決手段】  監視制御本体部１０とこれ以外の制御指令所２０から与えられる操作指令を受信し、受信時刻と併せて記憶手段１６に保存する指令受信部１４と、制御対象機器の状態に関する情報に基づいて、制御対象機器に対する操作指令を実行する条件を満たしているか否かを判定する条件判定部１５と、操作指令を実行する条件を満たしていると判定されたとき、操作指令を制御指令とすると共に、操作指令が監視制御本体部と制御指令所のいずれから発令され、かつ、どの時刻に与えられたかを示す操作履歴を、システム全体を監視している上位のモニタリング表示装置３０に送信する指令実行部１７とを備える。【選択図】  図１
2006031073.tif 000002
【特許請求の範囲】
【請求項１】
監視制御本体部とこの監視制御本体部以外の制御指令所から与えられる操作指令に基づいて、監視対象システムにおける制御対象機器に対する制御指令を発信するシステム監視制御装置において、
前記制御対象機器の状態に関する情報及び前記監視制御本体部の操作パネルの操作指令を受け入れる入力部と、
前記制御指令所から与えられた操作指令及び前記入力部が受け入れた前記監視制御本体部の操作パネルの操作指令を受信し、受信した操作指令を受信時刻と併せて記憶手段に保存する指令受信部と、
前記入力部が受け入れた前記制御対象機器の状態に関する情報に基づいて、前記制御対象機器に対する操作指令を実行する条件を満たしているか否かを判定する条件判定部と、
前記条件判定部によって前記制御対象機器に対する操作指令を実行する条件を満たしていると判定されたとき、前記記憶手段に保存されている操作指令を制御指令として読み出すと共に、操作指令が前記監視制御本体部と前記制御指令所のいずれから発令され、かつ、どの時刻に与えられたかを示す操作履歴を、システム全体を監視している上位のモニタリング表示装置に送信する指令実行部と、
前記指令実行部で読み出された制御指令を前記監視対象システムに出力する制御出力部と、
を備えたことを特徴とするシステム監視制御装置。
【発明の詳細な説明】
【技術分野】
【０００１】
本発明は、交通の制御装置、ビルや公共施設の管理装置等を監視対象システムとし、この監視対象システムにおける制御対象機器に対して、監視制御本体部とこの監視制御本体部以外の制御指令所から制御指令を与えるシステム監視制御装置に関する。
【背景技術】
【０００２】
ビルなどに設けられた電気設備、例えば、受配電設備、照明、空気調和設備、通信設備などを監視制御する監視制御システムが開示されている（例えば、下記の特許文献１参照）。この監視制御システムは、負荷機器毎の操作指令を記憶保存しておき、監視制御の際には、対象とする負荷機器の操作指令を読出し、負荷機器を監視制御しながら、停止等の故障が発生した場合には、その記録を残しておき、その停止回数を操作指令に対応付けて故障履歴として記憶保存し、必要に応じてこの故障履歴を表示できるようにして事故の解析を容易にし、さらに、時刻に対応させて停止回数を記憶し、所定の時間毎の停止回数を保存しておくことにより、システムのメンテナンス性を向上させている。
【特許文献１】特開２００２−１３２３３８号公報
【発明の開示】
【発明が解決しようとする課題】
【０００３】
交通の制御装置、ビルや公共施設の管理装置等を監視制御する監視制御システムにあっては、監視対象システムにおける制御対象機器に対する操作指令を監視制御本体部の操作パネルから与えるほか、監視制御本体部から遠方に設置されている遠方制御指令所からも与え得るように構成したものが少なくない。
【０００４】
上述した従来の監視制御システムは、制御対象機器に対する操作指令が監視制御本体部の操作パネルから与えられたものであるか、遠方制御指令所から与えられたものであるかを識別する識別情報及び操作指令が与えられた時刻情報を記憶していなかったため、システム全体を監視している上位のモニタリング表示装置での事故の解析が必ずしも容易ではなく、メンテナンスにおいても難しさがあった。
【０００５】
本発明は、上記の問題点を解決するためになされたもので、システム全体を監視している上位のモニタリング表示装置での事故の解析を容易化すると共に、メンテナンス性を向上させることのできるシステム監視制御装置を提供することを目的とする。
【課題を解決するための手段】
【０００６】
本発明は、監視制御本体部とこの監視制御本体部以外の制御指令所から与えられる操作指令に基づいて、監視対象システムにおける制御対象機器に対する制御指令を発信するシステム監視制御装置において、制御対象機器の状態に関する情報及び監視制御本体部の操作パネルの操作指令を受け入れる入力部と、制御指令所から与えられた操作指令及び入力部が受け入れた監視制御本体部の操作パネルの操作指令を受信し、受信した操作指令を受信時刻と併せて記憶手段に保存する指令受信部と、入力部が受け入れた制御対象機器の状態に関する情報に基づいて、制御対象機器に対する操作指令を実行する条件を満たしているか否かを判定する条件判定部と、条件判定部によって制御対象機器に対する操作指令を実行する条件を満たしていると判定されたとき、記憶手段に保存されている操作指令を制御指令として読み出すと共に、操作指令が監視制御本体部と制御指令所のいずれから発令され、かつ、どの時刻に与えられたかを示す操作履歴を、システム全体を監視している上位のモニタリング表示装置に送信する指令実行部と、指令実行部で読み出された制御指令を監視対象システムに出力する制御出力部とを備えたことを特徴とするものである。
【発明の効果】
【０００７】
本発明は、上記のように構成したことにより、システム全体を監視している上位のモニタリング表示装置での事故の解析を容易化すると共に、メンテナンス性を向上させることのできるシステム監視制御装置が提供される。
【発明を実施するための最良の形態】
【０００８】
以下、本発明を図面に示す好適な実施形態に基づいて詳細に説明する。
【０００９】
〔第１の実施の形態〕
図１は本発明に係るシステム監視制御装置の第１の実施の形態の構成を示すブロック図である。同図において、システム監視制御装置１０は演算処理部１１と操作パネル１２とを備え、演算処理部１１にはシステム監視制御装置１０から遠方に離隔して設置されている遠方制御指令所２０、システム全体を監視している上位のモニタリング表示装置３０及び監視対象システム４０が接続されている。
【００１０】
このうち、演算処理部１１は、操作パネル１２からの操作指令及び監視対象システム４０における制御対象機器の情報を受け入れる入力部１３と、この入力部１３が受け入れた操作指令及び遠方制御指令所２０の操作指令を受信してその受信時刻と併せて記憶バッファ１６に記憶させる指令受信部１４と、入力部１３が受け入れた制御対象機器の状態信号に基づいてこれらの機器に対する操作指令を実行する条件を満たしているか否かを判定する条件判定部１５と、記憶バッファ１６に記憶された操作指令に対応する制御対象機器が、条件判定部１５によって操作指令を実行する条件を満たしていると判定されたとき、記憶バッファ１６に保存されている操作指令を制御指令として読み出すと共に、操作指令が発令された場所とその時刻を操作履歴としてモニタリング表示装置３０に送り込む指令実行部１７と、指令実行部１７が読み出した操作指令を監視対象システム４０に出力する制御出力部１８とを備えている。
【００１１】
上記のように構成されたシステム監視制御装置１０の動作について以下に説明する。監視対象システム４０における制御対象機器の状態に関する情報が入力部１３に送り込まれる。入力部１３はこの制御対象機器の状態に関する情報を受け入れて条件判定部１５に加える。また、入力部１３は操作パネル１２の操作指令をも受け入れて指令受信部１４に加える。指令受信部１４は遠方制御指令所２０から与えられた操作指令及び入力部１３が受け入れた操作パネル１２の操作指令を受信し、それぞれ受信した操作指令を受信時刻と併せて記憶バッファ１６に保存する。条件判定部１５は入力部１３が受け入れた監視対象システム４０の制御対象機器の状態に関する情報に基づいて、制御対象機器に対する操作指令を実行する条件を満たしているか否かを判定する。指令実行部１７は条件判定部１５によって制御対象機器が操作指令を実行する条件を満たしていると判定されたとき、記憶バッファ１６に保存されている操作指令を制御指令として読み出すと共に、操作指令が操作パネル１２と遠方制御指令所２０のいずれから発令され、かつ、どの時刻に与えられたかを示す操作履歴をモニタリング表示装置３０に送信する。制御出力部１８は指令実行部１７で読み出された制御指令を監視対象システム４０に出力する。
【００１２】
図２はコンピュータシステムで構成される演算処理部１１の具体的な処理手順を示すフローチャートである。この場合、ステップ１０１にて操作指令の入力が有るか否かを判定し、操作指令が入力された場合にはステップ１０２で操作指令及びその入力時刻を記憶する。ステップ１０３では制御対象機器に対して操作指令が可能かどうかを判定し、ステップ１０４で制御指令の出力条件を満たしているか否かを判定する。出力条件を満たしている場合にはステップ１０５で制御指令を出力し、さらに、ステップ１０６で操作履歴をモニタリング表示装置３０に送信し、ステップ１０７にて記憶内容をリセットしてステップ１０１以下の処理を繰り返す。ステップ１０４で制御指令の出力条件を満たしていないと判定された場合には、ステップ１０８にて一定時間を経過したか否かを判定し、一定時間が経過するまでステップ１０３、１０４、１０８の処理を繰り返し、一定時間を経過した後でステップ１０７にて記憶内容をリセットしてステップ１０１以下の処理を繰り返す。
【００１３】
かくして、第１の実施の形態によれば、遠方制御指令所２０又は操作パネル１２のいずれから操作指令が入力されたかの情報と、これらの操作指令が入力された時刻情報とが操作履歴としてモニタリング表示装置３０に送信されるため、このモニタリング表示装置３０によって操作指令が入力された場所及び時刻を確認することができるので、モニタリング表示装置３０での事故の解析を容易化すると共に、メンテナンス性を向上させることができる。
【００１４】
〔第２の実施の形態〕
上述した第１の実施の形態では、システム監視制御装置１０の監視制御本体部から遠方に離隔している遠方制御指令所２０から操作指令を入力しているが、監視制御本体部の近くに設置された別の制御指令所から操作指令が与えられる場合であっても、あるいは、遠方制御指令所２０を含めた複数の制御指令所から操作指令が与えられる場合であっても、第１の実施の形態と同様に、モニタリング表示装置３０での事故の解析を容易化すると共に、メンテナンス性を向上させることができる。
【図面の簡単な説明】
【００１５】
【図１】本発明に係るシステム監視制御装置の第１の実施の形態の構成を示すブロック図。
【図２】コンピュータシステムで構成される演算処理部の具体的な処理手順を示すフローチャート。
【符号の説明】
【００１６】
１０  システム監視制御装置
１１  演算処理部
１２  操作パネル
１３  入力部
１４  指令受信部
１５  条件判定部
１６  記憶バッファ
１７  指令実行部
１８  制御出力部
２０  遠方制御指令所
３０  モニタリング表示装置
４０  監視対象システム
【図１】
2006031073.tif 000003
【図２】
2006031073.tif 000004